(57)【要約】【課題】車座席上に手荷物を容易に安定保持できる車座席用のポケット付きカバーを提供する。【解決手段】柔軟性素材による略筒状のカバー本体を設け、カバー本体前面にポケットを設けるとともに、該カバー本体上下部に車座席への装着手段を設けたことを特長とする。【選択図】  図１３
2005034589.tif 000002
【特許請求の範囲】
【請求項１】
柔軟性素材による略筒状のカバー本体を設け、カバー本体前面にポケットを設けるとともに、該カバー本体上下部に車座席への装着手段を設けたことを特長とする車座席用ポケット付きカバー。
【請求項２】
柔軟性素材による筒状のカバー本体を設け、該カバー本体上下部に車座席への装着手段を設けたことを特長とする車座席用ポケット付きカバー。
【請求項３】
カバー本体の裏面にポケットを設けてなる請求項２記載の車座席用ポケット付きカバー。
【発明の詳細な説明】
【技術分野】
【０００１】  この発明は、手荷物等を安定保持させるために、車座席に装着して使用するポケット付きカバーに関する。
【背景技術】
【０００２】  従来より、車座席の背面にはポケットがあるが、座席前面にはポケットはなく、本発明にて示すようにこの座席に取り付けて使用するポケット付きのカバーは見当たらない。
【発明の開示】
【発明が解決しようとする課題】
【０００３】  スーパーなどで買い物をしたあと、車で帰るときに物品が入って膨らんだ袋を座席に置くことが多い。とりわけ助手席に袋をのせて車を運転することが多いが、運転中に急ハンドルや急ブレーキをかけると、この袋が傾いて中の物品がころがり落ちることがある。また、落ちないまでも常に物品に注意を払いながら運転することとなり、安心感は得られない。取っ手のついた紙袋などは、床面に置くと倒れやすく、座席面にのせて背もたれに立てかけると前記のような危険がある。座席に倒して置いても滑り落ちやすく、その処置に適当な手段が見当たらない。
本発明は以上のような車内の小荷物保持に関わる課題を解決するために発明されたもので、座席に装着することにより、ポケットの付いたカバーとして小荷物保持および収納に便利なる新規な物品を提供することを目的として開発されたものである。
【課題を解決するための手段】
【０００４】  課題を解決する手段として本発明は、略筒状のカバー本体にポケットを設けてその主要部を構成した。
すなわち、柔軟性素材による略筒状のカバー本体を設け、カバー本体前面にポケットを設けるとともに、該カバー本体上下部に車座席への装着手段を設ける。
本発明は以上の構成よりなる車座席用ポケット付きカバーである。
【発明の効果】
【０００５】  本発明によれば、車座席に装着したカバー本体前面にポケットがあるので、買い物袋や手提げ紙袋等をポケット内に容易に収納保持できて、車運転中の急ブレーキなどの場合でも収納物品の安定を保つことのできる、有用なる物品を提供することができる。
【実施例１】
【０００６】  以下、本発明の実施例について説明する。
図において、１は筒状の布体によるカバー本体で、その前面にポケット２が、後面に切り欠き部３が設けられる。このポケットの上部は折り返し縫合されて、ゴムベルト４がその両端を布体に縫合して収納される。また、ポケット下部は図３のごとく折り返されてマチ部分となっている。カバー本体後面の上方部分は背面保持部５で、その上部には上部調整ゴム６が下部には下部調整ゴム７が、ポケットの例と同様にその両端が布体に縫合されて収納保持される。８は適宜巾の細長布体よりなる保持ベルトで、その一端はカバー本体前面上縁に縫着される。
９は係止環体で、細長小布体を環状にしてその両端を背面保持部上縁に重ね縫着したものである。１０は係止ベルトで、本例では細巾の環状ゴムベルトを用い、切り欠き部下端にその両端を重ね縫着される。１１は係止金具で、Ｓ形の金属性線材であり、一方の係止ベルト端に縫着される。
以上が本発明の第１実施例である。【０００７】  本例を使用するには、ポケットのあるカバー本体前面を座席の背もたれ前面に、背面保持部を背もたれ後面になるようかぶせる。このとき保持ベルトは背もたれのヘッドレストの両側に位置するよう調整する。カバー本体の上下位置を調整した後、保持ベルト端を係止環体に通し、互いの保持ベルト端を結び合わせる。そして係止ベルトの一方を他方の係止ベルトに縫着されている係止金具に引っかけて係止する。この係止にてカバー本体下部が車座席に保持される。以上の作業にてカバー全体が車座席に安定して保持される。
このカバー本体は通常は助手席に取り付けられる。
買い物をした後の物品の入って膨らんだ袋は、このポケットに上から挿入することで収納できる。本例ではポケット上縁にゴムベルトが内包されているので、ポケット上縁を指でつまんで軽く前方に引くと口が開くので入れやすく、入れた後はこのゴムベルトにて口が閉じる方向に力が働き、収納物をしっかりと保持することができる。また、ゴムベルト製の係止ベルトにより、カバー本体下部も背もたれにしっかりと巻き付いて形を整えることができる。
なお、本例のように保持ベルト端を結ぶ方式以外に、保持ベルト適所に面ファスナー雄片と雌片を縫着し、この面ファスナーにて係止させる方式としてもよい。
さらに本例ではカバー本体後面に切り欠き部を設けているので、助手席に標準装備されているポケット部分も利用することができる。また、背面保持部の上下に調整ゴムを内包しているので、車種による背もたれ巾サイズの変化にも対応可能である。すなわち、カバー本体サイズをゆとりを持って作成しておき、背もたれ巾サイズの小さい場合でも調整ゴムの伸縮にてフィットさせることができる。さらに、保持ベルトを結んで背もたれに取り付ける方式のため、背もたれ高さの変化にも対応可能である。【０００８】  また、図４〜図７の仮想線にて示すように、ポケット２の外面中央上部に係止帯１４を設けると、買い物袋が２個の場合、一方の袋に保冷食品を入れ、他方の袋に温かい食品を入れて、例えば保冷食品をポケット内に収納し、温かい食品はポケットに入れずに座面上に置いて、その袋の取っ手をこの係止帯に係止させることで双方の温度保持を可能とすることができる。
この係止帯は、図７にて示すように小布体の一端をポケット中央外面上部に縫着し、この小布体適所に面ファスナー雄片と雌片を縫合したもので、使用時は互いの面ファスナーを係止解除し、買い物袋の取っ手に小布体を通して面ファスナーを係止させると、この買い物袋が倒れようとしてもその取っ手位置保持ができるので安定保持することができる。
【実施例２】
【０００９】  図４〜図７は本発明の第２実施例を示すものである。
本例は、カバー本体側面に上下に２個の小ポケットを設けたもので、このポケットに眼鏡、携帯電話、ドリンクなど種々の物品を入れて保持できるよう配慮したもので、他の構成は前例と同じである。
このポケットのうち上方ポケットは小さめに、下方ポケットはやや大きめに形成し、上方ポケットには眼鏡、高速道路券等、下方ポケットはドリンクやゴミ、ティッシュ箱等を収納できる。なお、各々のポケット入り口部分にポケット色と異なる色の細幅布体を縫合すれば、車内が暗いときでもポケット位置確認が容易となる。
なお、本発明ではポケット内に買い物袋等を収納したときに、その大部分はポケット内に位置するので、窓からの直射日光が当たらず、物品の温度保持に有効である。
【実施例３】
【００１０】  図８〜図１０は本発明の第３実施例を示すものであり、前の二つの例に比べ本例は簡略構成としたものである。
図において２０は環状布体よりなるカバー本体で、その上下端の一部には前例のようにゴムベルトが内蔵され、伸縮部２１が形成される。２２は背面布体でカバー本体の一部を構成し、ゴムベルトを有さない非伸縮部となる。２３はポケットで、カバー本体側面上部に縫着される。本例装着時は、伸縮部に指をかけて広げ、このまま車座席上部にかぶせて下方へ位置させる。このときゴムベルトのない非伸縮部は座席背面に位置させる。この状態でカバー本体は内蔵ゴムベルトの引張力にて座席にその上下部が押圧接触している。
本例使用時はカバー本体上方の伸縮部に指をかけて前方へ引くと座席前面と伸縮部間は離れるので、ここに手荷物を挿入して指を離す。するとゴムの引張力にて手荷物は保持される。また、側面ポケットには種々の小物を収納することができる。本例ではカバー本体の一部にゴムベルトを内蔵させたので、全周にゴムベルトを内蔵させる場合に比べより安価に製造することができる。なお、背面布体を設けず全周にゴムベルトを通す方式でもよい。
【実施例４】
【００１１】  図１６〜図１８は本発明の第４実施例を示すものである。
本例は第３実施例における非伸縮部布体に別布体を縫着してサブポケット３０を設けたものである。このサブポケット上部には第１実施例におけるポケットのようにゴムベルトが内蔵され、該ポケット下部にはマチ部分が設けられる。
本例使用時は前例同様に車座席の背もたれにかぶせて使用するが、本例では背もたれ後方にサブポケットが位置するので、このサブポケットに手荷物その他の物品を収納することができ、すなわち、背もたれの前部と後部の双方に物品を収納できる。
なお、仮想線で示すように、非伸縮部上縁に細布状の結び紐３１の一端を逢着すれば、この結び紐をヘッドレストシャフト前部にまわして双方の結び紐端を結ぶことにより、サブポケット収納物の重量によるカバー本体の下方への移動を防ぐことができる。【００１２】  本発明の概要については既述したが、本発明は座席装着によりポケットが得られ、小荷物を容易に安定保持できるところにその特長がある。
既述のように、従来の座席は背面にポケットはあるものの薄物しか入らず、前面にはポケットを有しない。従って、買い物袋は座面にそのまま乗せて運転することとなり、走行状態によってはこの買い物袋内の物品位置がずれたり、ときには袋から飛び出すことがあった。
しかるに本発明では座席前面に位置するポケット内に物品を収納でき、かつこのポケット上部はゴムベルトにて縮む方向に力が働くので、収納した物品をしっかりと安定保持することができるのである。さらに小ポケットを設けることにより、種々の小物品を収納でき、利便性の向上となる。なお、要保冷食品をポケットに収納すれば、保温・保冷効果が期待できる。そして、本発明の第１および第２実施例では係止環体に保持ベルトを通して結ぶ方式としたので、車種による背もたれ高さの変化に対応でき、かつ上部調整ゴムおよび下部調整ゴムにより背もたれ幅変化にも対応することができる。
なお、実施例では係止ベルトと係止金具にてカバー本体下部を止める方式としたが、係止ベルトに代えて紐を用い、双方の紐を結んで止める方式としてもよい。
以上のごとく、本発明により小荷物を座面上に安定保持できる車座席用のポケット付きカバーを得ることができる。
【図面の簡単な説明】
【００１３】
【図１】  本発明第１実施例の正面図（一部略）
【図２】  本発明第１実施例の背面図（一部略）
【図３】  本発明第１実施例の構造拡大説明図（Ａ−Ａ断面）
【図４】  本発明第２実施例の正面図（一部略）
【図５】  本発明第２実施例の背面図（一部略）
【図６】  本発明第２実施例の構造拡大説明図
【図７】  本発明第２実施例の要部拡大説明図
【図８】  本発明第３実施例の正面図
【図９】  本発明第３実施例の背面図
【図１０】  本発明第３実施例の構造説明図
【図１１】  本発明第１実施例の装着状態説明図（正面）
【図１２】  本発明第１実施例の装着状態説明図（背面）
【図１３】  本発明第１実施例の使用状態図
【図１４】  本発明第１実施例の要部説明図
【図１５】  従来方式の説明図
【図１６】  本発明第４実施例の背面図
【図１７】  本発明第４実施例の構造説明図
【図１８】  本発明第４実施例の使用状態図
【符号の説明】
【００１４】１  カバー本体
２  ポケット
３  切り欠き部
４  ゴムベルト
５  背面保持部
６  上部調整ゴム
７  下部調整ゴム
８  保持ベルト
９  係止環体
１０係止ベルト
１１係止金具
１２下部ポケット
１３上部ポケット
１４係止帯
１５面ファスナー
１６縁取り布体
２０カバー本体
２１伸縮部
２２背面布体
２３ポケット
３０サブポケット
３１結び紐
【図１】
2005034589.tif 000003
【図２】
2005034589.tif 000004
【図３】
2005034589.tif 000005
【図４】
2005034589.tif 000006
【図５】
2005034589.tif 000007
【図６】
2005034589.tif 000008
【図７】
2005034589.tif 000009
【図８】
2005034589.tif 000010
【図９】
2005034589.tif 000011
【図１０】
2005034589.tif 000012
【図１１】
2005034589.tif 000013
【図１２】
2005034589.tif 000014
【図１３】
2005034589.tif 000015
【図１４】
2005034589.tif 000016
【図１５】
2005034589.tif 000017
【図１６】
2005034589.tif 000018
【図１７】
2005034589.tif 000019
【図１８】
2005034589.tif 000020